(57)【要約】  【課題】  杖および腰掛として機能する以外に、松葉杖として、さらにはキャリアや歩行の補助器具として機能する杖を提案する。  【解決手段】  先端に石突き４が着脱自在に取り付けられた軸５と軸５を一方から引き出し自在に収納可能な筒６と筒６の他方側に突設された雄ねじ８とからなる下部脚と、先端に把持部１１が垂直方向Ｔ字状に着脱自在に取り付けられた軸１２と軸１２を一方から引き出し自在に収納可能な筒１３と筒１３の他方側に突設された雄ねじ１５とからなる上部脚と、下部脚の筒６および上部脚の筒１３がそれぞれ挿入される収納部２，３が挿入方向を反対にして備えるとともに収納部２，３の奥にそれぞれ雄ねじ８，１５が螺着される雌ねじ穴９，１０を備え、片面の両端にそれぞれ前記下部脚および上部脚の雄ねじ８，１５が螺着可能な脚取り付け座１８，１９を備えた本体１とを備える。【選択図】  図２２
2006334185.tif 000002
【特許請求の範囲】
【請求項１】
先端に石突きが着脱自在に取り付けられた軸と該軸を一方から引き出し自在に収納した筒と該筒の他方側に突設された雄ねじとからなる下部脚と、
先端に把持部が垂直方向Ｔ字状に着脱自在に取り付けられた軸と該軸を一方から引き出し自在に収納した筒と該筒の他方側に突設された雄ねじとからなる上部脚と、
前記下部脚および上部脚の筒よりも短い全長であって、前記下部脚および上部脚の筒がそれぞれ挿入される収納部が互いに平行でかつ挿入方向を反対にして備えるとともに該収納部の奥にそれぞれ前記雄ねじが螺着される雌ねじ穴を備え、片面の両端に座面がそれぞれ前記片面よりもやや外側に向けて形成されその中心部にそれぞれ前記下部脚および上部脚の雄ねじが螺着可能な雌ねじ孔を刻設した１対の脚取り付け座を備えた本体と、
を備えたことを特徴とする松葉杖と腰掛とキャリアを兼ねた杖。
【請求項２】
請求項１に記載の松葉杖と腰掛とキャリアを兼ねた杖において、
前記本体の上部脚が収納される側の端部側面に長手方向と垂直に雌ねじ穴を刻設し該雌ねじ穴に松葉杖として使用するときの把持部が着脱自在に螺着されたことを特徴とする松葉杖と腰掛とキャリアを兼ねた杖。
【請求項３】
請求項１乃至２のいずれかに記載の松葉杖と腰掛とキャリアを兼ねた杖において、
前記本体から下部脚と上部脚を取り外してそれぞれを前記脚取り付け座に螺着するとともに、前記下部脚の軸から石突きを外した後に車輪を取り付け、かつ前記上部脚から把持部を外した後に車輪を取り付けることにより、キャリアとして使用可能であることを特徴とする松葉杖と腰掛とキャリアを兼ねた杖。
【発明の詳細な説明】
【技術分野】
【０００１】
本発明は、松葉杖と腰掛とキャリアを兼ねた杖に関し、詳しくは複数の部品から構成される杖であって、それらの部品を組み合わせることで杖として、または松葉杖として、さらには腰掛として、またさらには荷物運搬の補助をするキャリアや歩行時の補助器具として使用することのできる杖に関する。
【背景技術】
【０００２】
従来、歩行時に使用する杖でありながらも、椅子として使用できるものが多数提案されている。例えば、特許文献１に記載の「チェア兼用ステッキ」がある。これは軸の途中に折り畳み可能な腰掛け板を取り付けたものである。また、特許文献２に記載の「２脚式腰掛け付きステッキ」がある。これは２本の脚をＸ字状に開閉自在に連結しておき、その２本の脚を開いたところに座部材を倒して腰掛け可能にしたものである。さらには、特許文献３に記載の「椅子に変えることのできる杖」がある。これはＴ字形をした杖本体の下部に折り畳むと嵩張ることのない椅子部材を保持するようにしたものである。
【特許文献１】特開２００１−２９９４２１号公報
【特許文献２】特開２００４−１２１７７１号公報
【特許文献３】特開２００４−２４２９６７号公報
【発明の開示】
【発明が解決しようとする課題】
【０００３】
上述した杖は、杖として機能する以外に椅子としても使用できるため重宝である。しかしながら、さらに追加して欲しい機能として、松葉杖として使用できればなお重宝であり、荷物を運ぶときのキャリアや歩行時の補助器具として機能すればなお重宝である。そこで、本発明は、杖および腰掛として機能する以外に、松葉杖として、さらにはキャリアや歩行の補助器具として機能する杖を提案することを目的とした。
【課題を解決するための手段】
【０００４】
上記課題を解決するために、本発明は、先端に石突きが着脱自在に取り付けられた軸と該軸を一方から引き出し自在に収納した筒と該筒の他方側に突設された雄ねじとからなる下部脚と、先端に把持部が垂直方向Ｔ字状に着脱自在に取り付けられた軸と該軸を一方から引き出し自在に収納した筒と該筒の他方側に突設された雄ねじとからなる上部脚と、前記下部脚および上部脚の筒よりも短い全長であって、前記下部脚および上部脚の筒がそれぞれ挿入される収納部が互いに平行でかつ挿入方向を反対にして備えるとともに該収納部の奥にそれぞれ前記雄ねじが螺着される雌ねじ穴を備え、片面の両端に座面がそれぞれ前記片面よりもやや外側に向けて形成されその中心部にそれぞれ前記下部脚および上部脚の雄ねじが螺着可能な雌ねじ孔を刻設した１対の脚取り付け座を備えた本体とを備えたことを特徴とする。
【０００５】
ここで、前記本体の上部脚が収納される側の端部側面に長手方向と垂直に雌ねじ穴を刻設し該雌ねじ穴に松葉杖として使用するときの把持部が着脱自在に螺着されることも可能である。また、前記下部脚および上部脚のそれぞれの筒の先端部に、前記軸の引き出し長さを調節した後、軸を締め付け固定するバックルを備えることが好ましい。さらには、前記本体から下部脚と上部脚を取り外してそれぞれを前記脚取り付け座に螺着するとともに、前記下部脚の軸から石突きを外した後にローラを取り付け、かつ前記上部脚から把持部を外した後にローラを取り付けることにより、キャリアとして使用可能である。また、前記本体に不使用時の前記把持部を収納する収納部を備えることも可能である。
【発明の効果】
【０００６】
以上述べたように本発明によれば、下部脚および上部脚の軸を任意の長さに引き出して、杖として使用できる。また、本体の上部脚側の端部側面の雌ねじ穴に把持部を螺着することで松葉杖として使用可能である。さらには、前記本体から下部脚と上部脚を取り外してそれぞれを前記脚取り付け座に螺着することにより、本体を腰掛け部とする腰掛として使用可能である。同様に、本体から下部脚と上部脚を取り外してそれぞれを脚取り付け座に螺着するとともに、下部脚の軸から石突きを外した後に車輪を取り付け、かつ上部脚から把持部を外した後に車輪を取り付けることにより、荷物を運ぶときのキャリアとして、または歩行の補助器具として使用可能である。このように、本発明の杖は、松葉杖と腰掛とキャリアさらには歩行の補助器具を兼ねることができて、重宝な杖を得ることができる。
【発明を実施するための最良の形態】
【０００７】
以下、図に基づいて本発明の実施形態を説明する。
図１は、本発明に係る松葉杖と腰掛とキャリアを兼ねた杖の実施形態を示す正面図であり、各部材を収納した保管または携帯時の形態を示す。図２は図１の側面図であり、図３は図１の背面図である。図４は図１の状態から各構成部品を伸縮させたときの拡大範囲を示す図であり、図５はさらに各部を付け替えたときの伸縮範囲を示す側面図である。これらの図において、１は腰掛け部分となる本体であり、内部に、下方から下部脚を収納する収納部２と、上方から上部脚を収納する収納部３が形成されている。
【０００８】
収納部２に収納される下部脚は、着脱自在の石突き４と、石突き４が螺着される軸５と、軸５が引き出し自在に収納される筒６と、軸５と筒６を締め付け固定するバックル７とから構成されており、筒６の基端部に雄ねじ８が突設されていて、収納部２の奥に形成されている雌ねじ穴９に着脱自在に螺着されている。収納部３に収納される上部脚は、Ｔ字形に着脱自在の把持部１１と、把持部１１が螺着される軸１２と、軸１２が引き出し自在に収納される筒１３と、軸１２と筒１３を締め付け固定するバックル１４とから構成されており、筒１３の基端部に雄ねじ１５が突設されていて、収納部３の奥に形成されている雌ねじ穴１０に着脱自在に螺着されている。
【０００９】
また、図２および図３に示されるように、本体１の背面の両端には突起が形成されて、その突起の上面にやや外側に向けて座面がそれぞれ形成され、その中心部に雌ねじ孔１６，１７が刻設されて１対の脚取り付け座１８，１９が形成されている。この雌ねじ孔１６，１７には、腰掛またはキャリア、歩行の補助器具として使用するとき、筒６の雄ねじ８および筒１３の雄ねじ１５が螺着される。なお、図４は下部脚および上部脚の伸縮範囲を示しており、バックル７を緩めて、筒６から軸５を引き出し可能であることを示している。また、本体１の上端の左側面には、把持部４２が着脱自在に螺着され、松葉杖として使用されるときの把持部となる。このとき、他のＴ字形の把持部１１が脇の下にあてがわれる。
【００１０】
また、バックル１４を緩めて、筒１３から軸１２を引き出し可能であることを示している。さらに、筒６の雄ねじ８を外して、収納部２の入り口の隣りであって、本体１の端部に刻設されている雌ねじ穴２１に螺着することも可能であることを示している。図５は、筒６と筒１３を本体１から取り外して、本体１の下面の脚取り付け座１８，１９に螺着して、腰掛またはキャリア、歩行の補助器具として使用する場合の伸縮範囲を示している。
【００１１】
図６は上部脚を構成する筒１３および軸１２を単独で示した外観図である。図６（ａ）は筒１３を示しており、内側に軸１２を収納可能な中空部が形成され、基端部に雄ねじ１５が形成され、先端部に、バックル１４を取り付けるための長孔１３ａが形成されている。図６（ｂ）は軸１２を示しており、表面長手方向に、バックル１４により締めつけられたときの滑り止めとしてラック１２ａが刻設されている。軸１２の先端部には、把持部１１がＴ字形に螺着されている。図７は把持部１１の詳細を示し、図７（ａ）は把持部１１のシャフト２２を示し、図７（ｂ）および図７（ｃ）はシャフト２２の端部のフランジ２３とフランジ２４を示し、それぞれにベルトを通すための孔２５，２６が形成されている。図７（ｄ）および図７（ｅ）は組み立てられた把持部１１を軸１２に取り付けた状態を示し、把持部１１はビス２７により軸１２に締結されている。
【００１２】
図８は下部脚を構成する筒６および軸５を単独で示した外観図である。図８（ａ）は軸５を示しており、表面長手方向に、バックル７により締めつけられたときの滑り止めとしてラック５ａが刻設されている。軸５の先端部には、石突き４が着脱自在に螺着されている。図８（ｂ）は筒６を示しており、内側に軸５を収納可能な中空部が形成され、基端部に雄ねじ８が形成され、先端部に、バックル７を取り付けるための長孔６ａが形成されている。
【００１３】
図９〜図１１はバックル７の詳細を示す図であり、図１２はバックル７の斜視図であり、図１３はバックル７に挿着されるゴムパッキン３５を示す外観図であり、図１４はバックル７に挿入される軸５の断面図である。バックル７は、図１２に示されるように、樹脂成形品からなり全体筒型をしたバックル本体３１と、同じく樹脂成形品からなるレバー３２と、レバー３２をバックル本体３１に軸支する金属製のピン３３とからなる。組み立ての際は、ピン３３を挿着して、レバー３２をバックル本体３１に回動可能に連結した後、かしめによりピン３３をバックル本体３１から抜けないように固定する。次に、図９〜図１１に示されるように、バックル本体３１の右端の孔から筒６が挿入され、このとき筒６の長孔６ａが上になるように位置合わせする。
【００１４】
次に、バックル本体３１の左端の孔から軸５が挿入される。このとき軸５のラック５ａの反対側には、図１４に示されるように、回り止め用の溝５ｂが刻設されており、この溝５ｂをバックル本体３１の孔の内側下部に突設されている突起３４に嵌合させる。その結果、軸５のラック５ａは、上の位置となり、バックル本体３１の上部に形成されている開口部に位置する。ここでバックル本体３１の上部に形成されている開口部に、筒６の長孔６ａが一致しており、レバー３２を上方に回動して、レバー３２の突起３２ａが外れている状態で、これらの長孔６ａ等の内側にゴムパッキン３５を挿入する。このときゴムパッキン３５のラック状に形成された切れ込み３５ａが下となるように挿入する。
【００１５】
すると、ゴムパッキン３５は長孔６ａ等の内部を進入して、その下面の切れ込み３５ａがラック５ａに当接される。ここで、レバー３２を下方に回動すると、レバー３２の突起３２ａが、ゴムパッキン３５を押圧して、軸５がバックル７すなわち筒６に固定される。このように、レバー３２を回動して突起３２ａを持ち上げた状態で、ゴムパッキン３５とラック５ａとがフリーとなるので、軸５の筒６に対する引き出し長さを調節した後、レバー３２を回動して突起３２ａを押し下げることで、軸５が筒６に対して固定される。なお、他のバックル１４も同一構成であるので、図示および説明は省略する。
【００１６】
図１５は本体１を単独で示した斜視図であり、図１６は図１５の下面側を一部破断して示した斜視図である。本体１の下面の両端には突起が形成されて、その突起の上面にやや外側に向けて座面がそれぞれ形成され、その中心部に雌ねじ孔１６，１７が刻設されて１対の脚取り付け座１８，１９が形成されている。この雌ねじ孔１６，１７には、腰掛またはキャリア、歩行の補助器具として使用するとき、筒６の雄ねじ８および筒１３の雄ねじ１５が螺着される。また、本体１の下面には、蓋４１が着脱自在に嵌着され、内部に把持部４２等を収納しておくことができる。
【００１７】
次に、実際の使用例について説明する。図１７および図１８は杖とした場合の形態を示し、バックル７，１４を調節して、把持部１１を最適な高さにして使用する。図１９は杖として使用する場合の他の形態を示し、筒１３および軸１２を除去して、把持部４２を本体１の上端側面に螺着したものであり、高さはバックル７を調節して合わせる。図２０は杖として使用する場合の他の形態を示し、筒１３、軸１２、バックル１４および把持部１１を使用し、筒１３の下端に石突き４を螺着したものである。なお、図１９の使用形態と図２０の使用形態は、石突き４以外は互いに異なる部品で構成されており、１個の杖セットから２本の杖が組み立てられるため、いわば夫婦（めおと）杖として使用できる。
【００１８】
図２１は杖として使用する場合の他の形態を示し、図２０の構成において、把持部１１を把持部４２に付け替えたものである。図２２は松葉杖とした場合を示し、図１７および図１８に示された構成に、把持部４２を取り付けたものであり、バックル７を調節して把持部４２の高さを使用者の手の高さに合わせ、次に、バックル１４を調節して、把持部１１を使用者の脇の下の高さに合わせることで使用が可能となる。
【００１９】
図２３は腰掛として使用する場合の形態を示し、筒６，１３をそれぞれの収納部２，３から抜き取り、本体１の下面の脚取り付け座１８，１９に形成されている雌ねじ孔１６，１７に筒６の雄ねじ８および筒１３の雄ねじ１５を螺着し、次いで、バックル７，１４により高さを調節したものである。この状態で本体１が腰掛け部となり、３点で支持され安定した腰掛となる。
【００２０】
図２４は荷物を運ぶ際の補助として使用するキャリア、または歩行の補助具として使用する形態を示している。図２３の状態から、軸５の先端の石突き４を取り外して車輪４４を装着し、同様に、把持部１１の両端に車輪４５，４６を取り付けたものである。この形態の場合も、３個の車輪４４〜４６により支持されるため、自立可能となり、本体１の部分に荷物を乗せたり、掛けたりして、荷物を運ぶ際の補助として使用できる。また、老人や歩行機能の障害者が、歩行の補助器具として、本体１に手を掛けたり腰を預けたりして使用することが可能である。
【産業上の利用可能性】
【００２１】
本発明は、日常の生活における、杖、腰掛、松葉杖、キャリア、歩行の補助器具として利用できる以外に、登山、ハイキングに携行して、杖、腰掛として使用したり、不測の足の怪我の際の松葉杖として使用したりすることも可能である。
【図面の簡単な説明】
【００２２】
【図１】本発明に係る松葉杖と腰掛とキャリアを兼ねた杖の実施形態を示す正面図である。
【図２】図１の側面図である。
【図３】図１の背面図である。
【図４】図１の状態から各構成部品を伸縮させたときの拡大範囲を示す図である。
【図５】図１の状態から各部を付け替えたときの伸縮範囲を示す側面図である。
【図６】上部脚を構成する筒および軸を単独で示した外観図である。
【図７】把持部の詳細を示す図である。
【図８】下部脚を構成する筒および軸を単独で示した外観図である。
【図９】バックルの詳細を示す断面図と側面図である。
【図１０】バックルの詳細を示す断面図と側面図である。
【図１１】バックルの詳細を示す断面図と側面図である。
【図１２】バックルの斜視図である。
【図１３】バックルに挿着されるゴムパッキンを示す外観図である。
【図１４】バックルに挿入される軸の断面図である。
【図１５】本体を単独で示した斜視図である。
【図１６】図１５の下面側を一部破断して示した斜視図である。
【図１７】本発明に係る杖を杖として使用する場合の形態を示す斜視図である。
【図１８】本発明に係る杖を杖として使用する場合の形態を示す斜視図である。
【図１９】本発明に係る杖を杖として使用する場合の形態を示す斜視図である。
【図２０】本発明に係る杖を杖として使用する場合の形態を示す斜視図である。
【図２１】本発明に係る杖を杖として使用する場合の形態を示す斜視図である。
【図２２】本発明に係る杖を松葉杖として使用する場合の形態を示す斜視図である。
【図２３】本発明に係る杖を腰掛として使用する場合の形態を示す斜視図である。
【図２４】本発明に係る杖をキャリアまたは歩行の補助具として使用する場合の形態を示す斜視図である。
【符号の説明】
【００２３】
１  本体
２  収納部
３  収納部
４  石突き
５  軸
５ａ  ラック
５ｂ  溝
６  筒
６ａ  長孔
７  バックル
８  雄ねじ
９  雌ねじ穴
１０  雌ねじ穴
１１  把持部
１２  軸
１２ａ  ラック
１３  筒
１３ａ  長孔
１４  バックル
１５  雄ねじ
１６  雌ねじ孔
１７  雌ねじ孔
１８  脚取り付け座
１９  脚取り付け座
２１  雌ねじ穴
２２  シャフト
２３  フランジ
２４  フランジ
２５  孔
２６  孔
２７  ビス
３１  バックル本体
３２  レバー
３２ａ  突起
３３  ピン
３４  突起
３５  ゴムパッキン
３５ａ  切れ込み
４１  蓋
４２  把持部
４４〜４６  車輪
【図１】
2006334185.tif 000003
【図２】
2006334185.tif 000004
【図３】
2006334185.tif 000005
【図４】
2006334185.tif 000006
【図５】
2006334185.tif 000007
【図６】
2006334185.tif 000008
【図７】
2006334185.tif 000009
【図８】
2006334185.tif 000010
【図９】
2006334185.tif 000011
【図１０】
2006334185.tif 000012
【図１１】
2006334185.tif 000013
【図１２】
2006334185.tif 000014
【図１３】
2006334185.tif 000015
【図１４】
2006334185.tif 000016
【図１５】
2006334185.tif 000017
【図１６】
2006334185.tif 000018
【図１７】
2006334185.tif 000019
【図１８】
2006334185.tif 000020
【図１９】
2006334185.tif 000021
【図２０】
2006334185.tif 000022
【図２１】
2006334185.tif 000023
【図２２】
2006334185.tif 000024
【図２３】
2006334185.tif 000025
【図２４】
2006334185.tif 000026